(57)【特許請求の範囲】
【請求項１】
燃料タンク内装の筒状形のグリップと、そのグリップの一端に接続された長尺の管体と、上記グリップの管体接続側に設けられたバルブ開閉操作子と、上記管体の先端部内に設けられた圧電点火装置及びその上部に圧電点火装置と電気的に接続して設けられた火口ノズル装置と、該火口ノズル装置と上記燃料タンクのバルブ装置とにわたり配設された燃料チューブと、管体先端から突出した火口ノズルを囲繞するとともに、ノズル先端との間に放電火花を発生させる放電電極を内側に備えた管体先端の火口カバーとからなる圧電式着火用トーチにおいて、
上記火口ノズル装置を、下端に上記燃料パイプと接続した火口ノズルと、火口ノズルの先端に嵌着した交換自在なノズルチップと、そのノズルチップの先端に設けた放電電極とから構成し、
その火口ノズル装置と上記圧電点火装置とを、少なくとも片側面が開放され、かつ仕切部材により上下に区画された縦長のケースの上部に、火口ノズル装置をケース上板に火口ノズルを嵌挿して収容し、ケースの下部に圧電点火装置を可動部材を下向きに収容して、該ケースと共にユニットとして管体先端内に挿入固定し、その可動部材を押し上げ作動する点火操作杆を、上記グリップの管体接続側に設けた点火操作子に下端を連結し先端を可動部材に当接して管体内に収容してなることを特徴とする圧電式着火用トーチ。
【請求項２】
上記管体は、接続部材をもってグリップの一端に接続され、その接続部材の基部はブーケ取付用の環状溝に形成され、かつ環状溝の下側に幅広の鍔が嵌合により取付けられていることを特徴とする請求項１記載の圧電式着火用トーチ。
【発明の詳細な説明】
【０００１】
【発明の属する技術分野】
この発明は、結婚披露宴などでキャンドルサービスとして行われる卓上の蝋燭の着火に使用される圧電式着火用トーチに関するものである。
【０００２】
【発明が解決しようとする課題】
着火用トーチにおける点火源を、喫煙ライターなどの点火具に換えて、圧電点火装置を採用することが試みられているが、これまでのものは圧電点火装置の設置位置がグリップ内となることから、長尺の管体先端に設けた火口ノズルとの距離が長くなり、必然的に圧電点火装置と火口ノズルとを電気的に接続するリード線も長くなるため圧電点火装置から火口ノズルに至る間に電流のリークが生じ易く、これが点火不良の原因となっている。
【０００３】
また火口ノズル側と管体先端側の放電電極は、いずれも固定されて交換不能の状態にあることから、度重なる使用により電極が汚れるなどして劣化すると、正常放電が行われず、この点からも確実な点火が損なわれて使用不能となる、という課題をも有する。
【０００４】
この発明は上記圧電式着火用トーチにおける課題を解決するために考えられたものであつて、その目的は、圧電点火装置と火口ノズル装置との距離を短縮してリード線からの電流リークを防止するとともに、両装置をユニット化して管体先端部への組込及び分解を容易となし、放電電極の交換をも可能となして常に確実な点火と炎の安定化を行い得る新たな構成の圧電式着火用トーチを提供することにある。
【０００５】
【課題を解決するための手段】
上記目的によるこの発明は、燃料タンク内装の筒状形のグリップと、そのグリップの一端に接続された長尺の管体と、上記グリップの管体接続側に設けられたバルブ開閉操作子と、上記管体の先端部内に設けられた圧電点火装置及びその上部に圧電点火装置と電気的に接続して設けられた火口ノズル装置と、該火口ノズル装置と上記燃料タンクのバルブ装置とにわたり配設された燃料チューブと、管体先端から突出した火口ノズルを囲繞するとともに、ノズル先端との間に放電火花を発生させる放電電極を内側に備えた管体先端の火口カバーとからなる圧電式着火用トーチにおいて、
上記火口ノズル装置を、下端に上記燃料パイプと接続した火口ノズルと、火口ノズルの先端に嵌着した交換自在なノズルチップと、そのノズルチップの先端に設けた放電電極とから構成し、
その火口ノズル装置と上記圧電点火装置とを、少なくとも片側面が開放され、かつ仕切部材により上下に区画された縦長のケースの上部に、火口ノズル装置をケース上板に火口ノズルを嵌挿して収容し、ケースの下部に圧電点火装置を可動部材を下向きに収容して、該ケースと共にユニットとして管体先端内に挿入固定し、その可動部材を押し上げ作動する点火操作杆を、上記グリップの管体接続側に設けた点火操作子に下端を連結し先端を可動部材に当接して管体内に収容してなる、というものである。
【０００６】
また上記管体は、接続部材をもってグリップの一端に接続され、その接続部材の基部はブーケ取付用の環状溝に形成され、かつ環状溝の下側に幅広の鍔が嵌合により取付けられている、というものである。
【０００７】
上記構成では、放電電極を備えたノズルチップと火口カバーの両方が着脱可能に設けられているので、それらの放電電極が劣化して放電火花発生に円滑性を欠くような場合でも、その両方又は片方を取り替えて点火を確実になすことができる。
【０００８】
また圧電点火装置と火口装置とを縦長のケースに納めてユニット化したので、そのケースを管体の先端部内に挿入固定するだけで組立ができ、分解も容易になし得るので組立分解に手数を要せず、製造コストの低減も図られるようになり、圧電点火装置と火口ノズル装置との間の距離も短縮されるので、リード線も短くなって保守管理も行き届き、電流リークによる点火不良も生じ難くなる。
【０００９】
着火用の火炎の発生もグリップの開閉操作子と点火操作子の摺動操作をもつて簡単になし得るので、使用に際して複雑な操作も要せず、グリップを握ったまま行い得るなどの容易性をも有し、環状溝によりブーケの取り付けが容易となるばかりか、管体が下向きに傾斜したときに生じがちなブーケの滑り出しも環状溝の縁により防止されるので使用し易いなどの特長をも有するする。
【００１０】
【発明の実施の形態】
図中１は、液化ガスなどの燃料タンク１ａを内装した金属の円筒状形のグリップで、その一端にアルミニウム等の軽金属による細身で長尺の管体２が接続してある。この接続はグリップ端部に嵌着した接続部材３に管体２の端部を挿入し、ピン３ｄにより止着して行っている。
【００１１】
上記接続部材３は、グリップ端部に嵌着した短筒状の下部接続部材３ａと、その下部接続部材３ａの上部に突設した接続管３ｃと螺合した上部接続部材３ｂとからなる。この上部接続部材３ｂは下半部が縮径され、その縮径部分が下部接続部材３ａとの螺合によりブーケ取付用の環状溝４を形成するようにしてある。
また上部接続部材３ｂの嵌合は幅広の鍔５を挟んで行われ、これにより鍔５が確りと固定されて操作子を設けたグリップ端部を隠蔽している（図１参照）。
【００１２】
上記グリップ１の管体接続側の両側部には、図２に示すように、燃料タンク１ａの上部に設けたバルブ装置６の開閉操作子７と、点火操作子８とがそれぞれ上下摺動自在に設けられている。
【００１３】
上記管体２の先端部内には、図３に示すように、通常構造の圧電点火装置９が可動部材９ａを下向きにして設けられており、その上部に火口ノズル装置１０が圧電点火装置９から導出したリード線９ｂの差込みにより電気的に接続して設けられている。この圧電点火装置９と火口ノズル装置１０の両方は、側面を開放して内部を仕切部材１１により上下に区画した縦長のケース１２の下部１２ａと上部１２ｂとに分けて収容され、そのケース１２と共にユニットとして管体２の先端内に挿入固定されている。
【００１４】
上記火口ノズル装置１０は、ホルダーを兼ねるケース上板１２ｃの中央部に嵌挿して、下端をケース上部内に位置させた火口ノズル１３と、その火口ノズル１３の先端に嵌着した交換自在なノズルチップ１４と、そのノズルチップ１４の先端に設けた放電電極１５とから構成されており、火口ノズル１３の下端には上記バルブ装置６に一端を接続した燃料チューブ１６の他端が接続してある。なお、１７はリード線９ｂの絶縁カバーである。
【００１５】
このバルブ装置６と火口ノズル装置１０とにわたり配設された長い燃料チューブ１６によって、上記燃料タンク１ａと火口ノズル１３とが離れて設けられていても、燃料タンク１ａの液化ガスはバルブ装置６の開放と同時に火口ノズル１３に流入して、ノズルチップ１５の先端から噴出するようになる。
【００１６】
この燃料チューブ１６の側部には点火作動杆１８が並行に設けられて管体内に収容してある。この点火操作子１８の下端は上記点火操作子８にねじビス１９をもって固定され、また先端は上記圧電点火装置９の可動部材９ａの下端面に当接してある。これにより点火操作子１８を押し上げると、点火作動杆１８が常時下方へ弾圧されている可動部材９ａを押込んで圧電点火装置９を作動し、圧電気を発生する。また押上げ力を除くと可動部材９ａがばね圧により点火作動杆１８と共に元に押し戻されるようになる。
【００１７】
２０は管体２の先端外周に螺着した金属の短筒体による火口カバーで、管体先端から突出した上記火口ノズル１３の先端部を囲繞するとともに、ノズルチップ１４の先端の上記放電電極１５との間に放電火花を発生させる放電電極２１を内側に備え、下部周壁に空気口２２を穿設した構造からなる。
【００１８】
上記構造の圧電式着火用トーチでは、上記バルブ開閉操作子７を指先により押し上げてバルブ装置６を開弁した後、上記点火操作子８を他の指先で押し上げて点火作動杆１８により上記圧電点火装置９を発電作動すると、リード線９ｂを経て火口ノズル側に＋電流が流れるようになり、その＋電流は上記ケース１２と接する管体２及び火口カバー２０側がアース側となることから、ノズルチップ１４の先端の放電電極１５と火口カバー内側の放電電極２１との間に放電火花が生じ、その放電エネルギーによりノズルチップ１４から噴出する液化ガスが点火燃焼して、火口カバー２０から火炎が生ずるようになる。
【００１９】
この火炎の長さは上記バルブ装置６に取付けた流量調整装置６ａをハンドル６ｂにより操作することにより任意に調整し得る。また燃焼の維持はバルブ装置６を開放状態に維持するだけでよく、点火操作子８は点火燃焼後に押圧力を除いて上記ばね圧により自動的に元の位置に戻すことができる。消炎はバルブ開閉操作子７を元の位置に押し下げてバルブ装置６を閉弁するだけでよく、従って両操作子の上下摺動操作のみにより点火と消炎の両方を容易に行うことができる。
【００２０】
また度重なる使用により放電電極１５，２１が劣化して放電火花の発生状態が正常性を欠くような時には、ノズルチップ１４及び又は火口カバー２０を取り外して交換すればよく、このため劣化による点火不良がなくなるので、常に蝋燭等への着火が確実なトーチとして、長く使用することができるようになる。
【００２１】
さらにまた、圧電点火装置９と火口ノズル装置１０とをケース１２に納めてユニット化したので、そのケース１２を管体２の先端部内に挿入固定するだけで他に特別な手段を要せず、その両方をユニットとして交換可能なことから、組立分解を容易になし得るものとなる。
【図面の簡単な説明】
【図１】  この発明に係る圧電式着火用トーチの斜視図である。
【図２】  同上のグリップ上部の縦断面図である。
【図３】  同上の管体先端部の縦断正面図及び側面図である。
【図４】  管体先端部の分解斜視図である。
【符号の説明】
１    グリップ
２    管体
３    接続部材
３ａ  下部接続部材
３ｂ  上部接続部材
４    環状溝
５    鍔
６    バルブ装置
７    バルブ開閉操作子
８    点火操作子
９    圧電点火装置
９ａ    可動部材
９ｂ    リード線
１０    火口ノズル装置
１１    仕切部材
１２    ケース
１３    火口ノズル
１４    ノズルチップ
１５    放電電極
１６    燃料チューブ
１８    作動杆
２０    火口カバー
２１    放電電極
【図１】
0003916110.tif 000002
【図２】
0003916110.tif 000003
【図３】
0003916110.tif 000004
【図４】
0003916110.tif 000005